(57)【要約】【課題】電源管理の負荷を軽減すること。【解決手段】実施形態の医用画像診断装置は、第１の特定部と、第２の特定部と、機能制御部とを備える。第１の特定部は、検査の実行予定を示す検査情報に基づいて、医用画像診断装置が前記検査で使用する機能を特定する。第２の特定部は、前記医用画像診断装置が有する機能のうち少なくとも特定した前記機能を含み、かつ、電源設備から供給可能な電力量で起動可能な機能を特定する。機能制御部は、特定した前記起動可能な機能以外の機能の使用を制限する。【選択図】図８
2015173799.tif 000002
【特許請求の範囲】
【請求項１】
医用画像診断装置が検査で使用する機能ごとに電力消費量を対応付けた電力消費量テーブルを記憶する記憶部と、
検査の実行予定を示す検査情報に基づいて、前記医用画像診断装置が前記検査で使用する機能を特定する第１の特定部と、
前記医用画像診断装置が有する機能のうち少なくとも特定した前記機能を含み、かつ、電源設備から供給可能な電力量で起動可能な機能を、前記電力消費テーブルを参照して特定する第２の特定部と、
特定した前記起動可能な機能以外の機能の使用を制限する機能制御部と
を備えたことを特徴とする医用画像診断装置。
【請求項２】
前記検査に用いる医用画像診断装置が使用する電力量の最大値を特定する第３の特定部を更に備え、
前記第２の特定部は、前記電力量の最大値が前記供給可能な電力量の範囲内ではない場合に、少なくとも特定した前記機能を含み、前記供給可能な電力量で起動可能な機能を特定する
ことを特徴とする請求項１に記載の医用画像診断装置。
【請求項３】
前記第２の特定部は、前記医用画像診断装置において使用される電力量の最大値から前記検査において用いられない機能が使用する電力量を前記供給可能な電力量となるまで減算することで、少なくとも特定した前記機能を含み、かつ、前記供給可能な電力量で起動可能な機能を特定することを特徴とする請求項２に記載の医用画像診断装置。
【請求項４】
前記第２の特定部は、前記検査において用いられない機能のうち高負荷なアプリケーション機能が使用する電力量から順に減算することを特徴とする請求項３に記載の医用画像診断装置。
【請求項５】
前記医用画像診断装置による前記検査で使用する機能において使用される電力量が前記供給可能な電力量の範囲内ではなく、かつ、他の医用画像診断装置が起動中である場合、前記検査で使用する機能において使用される電力量が前記供給可能な電力量の範囲内となるまで、前記他の医用画像診断装置による検査において用いられない機能を更に抑制することを前記他の医用画像診断装置に依頼する依頼部を更に備えたことを特徴とする請求項１〜４のいずれか一つに記載の医用画像診断装置。
【請求項６】
前記他の医用画像診断装置による検査において用いられない機能を更に抑制しても、前記医用画像診断装置による前記検査で使用する機能において使用される電力量を供給できない場合、前記他の医用画像診断装置による検査の終了予定時刻を報知する報知部を更に備えたことを特徴とする請求項５に記載の医用画像診断装置。
【請求項７】
前記電源設備から供給可能な電力量の上限値の設定を受付ける設定受付部を更に備え、
前記第２の特定部は、前記電力量の最大値が前記上限値未満ではない場合、或いは、前記上限値未満であるが前記供給可能な電力量の範囲内ではない場合に、少なくとも特定した前記機能を含み、かつ、前記上限値未満で前記電源設備から供給可能な電力量で起動可能な機能を特定する
ことを特徴とする請求項１〜６のいずれか一つに記載の医用画像診断装置。
【請求項８】
医用画像診断装置が備えるコンピュータに実行させるための医用画像診断装置の制御プログラムであって、
前記コンピュータは、前記医用画像診断装置が検査で使用する機能ごとに電力消費量を対応付けた電力消費量テーブルを記憶する記憶部を備え、
前記コンピュータに、
検査の実行予定を示す検査情報に基づいて、前記医用画像診断装置が前記検査で使用する機能を特定する第１の特定手順と、
電源設備から供給可能な電力量に基づいて、前記医用画像診断装置が有する機能のうち少なくとも特定した前記機能を含み、かつ、前記供給可能な電力量で起動可能な機能を、前記電力消費テーブルを参照して特定する第２の特定手順と、
特定した前記起動可能な機能以外の機能の使用を制限する機能制御手順と
を実行させるための医用画像診断装置の制御プログラム。
【請求項９】
医用画像診断装置と、電力管理装置とを有する電力管理システムにおいて、
医用画像診断装置が検査で使用する機能ごとに電力消費量を対応付けた電力消費量テーブルを記憶する記憶部と、
検査の実行予定を示す検査情報に基づいて、前記医用画像診断装置が前記検査で使用する機能を特定する第１の特定部と、
前記医用画像診断装置が有する機能のうち少なくとも特定した前記機能を含み、かつ、電源設備から供給可能な電力量で起動可能な機能を、前記電力消費テーブルを参照して特定する第２の特定部と、
特定した前記起動可能な機能以外の機能の使用を制限する機能制御部と、
を備えたことを特徴とする電力管理システム。
【発明の詳細な説明】
【技術分野】
【０００１】
本発明の実施形態は、医用画像診断装置、その制御プログラム及び電力管理システムに関する。
【背景技術】
【０００２】
従来、例えば有事の際や省エネを目的として、医用画像診断装置が利用する電力量を制御する技術が求められている。現状では、医用画像診断装置の操作者は、手動で電源を投入したり電源を切断したりすることで、医用画像診断装置の電力量を制御する。
【先行技術文献】
【特許文献】
【０００３】
【特許文献１】特開２０１３−１５３８４８号公報
【発明の概要】
【発明が解決しようとする課題】
【０００４】
本発明が解決しようとする課題は、電源管理の負荷を軽減することができる医用画像診断装置、その制御プログラム及び電力管理システムを提供することである。
【課題を解決するための手段】
【０００５】
実施形態の医用画像診断装置は、第１の特定部と、第２の特定部と、機能制御部とを備える。第１の特定部は、検査の実行予定を示す検査情報に基づいて、医用画像診断装置が前記検査で使用する機能を特定する。第２の特定部は、前記医用画像診断装置が有する機能のうち少なくとも特定した前記機能を含み、かつ、電源設備から供給可能な電力量で起動可能な機能を特定する。機能制御部は、特定した前記起動可能な機能以外の機能の使用を制限する。
【図面の簡単な説明】
【０００６】
【図１】図１は、第１の実施形態に係る電力管理システムの構成例を示す図。
【図２】図２は、第１の実施形態に係る電力管理システムにおける処理動作を説明するシーケンス図。
【図３】図３は、第１の実施形態に係る電力管理装置の構成例を示す機能ブロック図。
【図４】図４は、第１の実施形態に係る検査情報ＤＢが記憶するデータ構造の一例を示す図。
【図５】図５は、第１の実施形態に係る供給可能電力ＤＢが記憶するデータ構造の一例を示す図。
【図６】図６は、第１の実施形態に係る最大利用電力量ＤＢが記憶するデータ構造の一例を示す図。
【図７】図７は、第１の実施形態に係る医用画像診断装置の構成例を示す機能ブロック図。
【図８】図８は、第１の実施形態に係る電力量管理部の構成例を示す機能ブロック図。
【図９】図９は、第１の実施形態に係る使用電力ＤＢが記憶するデータ構造の一例を示す図。
【図１０】図１０は、第１の実施形態に係る医用画像診断装置による処理手順を示すフローチャート。
【図１１】図１１は、第１の実施形態に係る医用画像診断装置による使用電力抑制処理の処理手順を示すフローチャート。
【図１２】図１２は、第１の実施形態に係る電力管理装置による処理手順を示すフローチャート。
【図１３】図１３は、第２の実施形態に係る電力管理装置及び医用画像診断装置の構成例を示す機能ブロック図。
【図１４】図１４は、第２の実施形態に係る医用画像診断装置による処理手順を示すフローチャート。
【図１５】図１５は、第２の実施形態に係る電力管理装置による処理手順を示すフローチャート。
【図１６】図１６は、第３の実施形態に係る電力管理システムの構成例を示す図。
【図１７】図１７は、第３の実施形態に係る医用画像診断装置による処理手順を示すフローチャート。
【図１８】図１８は、第３の実施形態に係る他の医用画像診断装置による処理手順を示すフローチャート。
【発明を実施するための形態】
【０００７】
以下、図面を参照して、実施形態に係る医用画像診断装置、その制御プログラム及び電力管理システムを説明する。
【０００８】
（第１の実施形態）
図１は、第１の実施形態に係る電力管理システム１の構成例を示す図である。図１に示すように、第１の実施形態に係る電力管理システム１は、電源設備２と、電力管理装置１０と、医用画像診断装置１００ａと、医用画像診断装置１００ｂと、医用画像診断装置１００ｃとを有する。なお、医用画像診断装置１００ａと、医用画像診断装置１００ｂと、医用画像診断装置１００ｃとを区別しない場合には、医用画像診断装置１００と記載する。
【０００９】
また、図１に示すように、電力管理装置１０と医用画像診断装置１００とは、ネットワーク３によって相互に通信可能に接続される。このネットワーク３は、例えば、ＬＡＮ（Local  Area  Network）、Ｗｉ−Ｆｉ（Wireless  Fidelity）、短距離無線通信及びシリアル通信などである。また、図１では、医用画像診断装置１００が３台である場合を図示しているが、電力管理システム１が有する医用画像診断装置１００の数は、３台に限定されるものではない。
【００１０】
電源設備２は、医用画像診断装置１００に電力を供給する。電力管理装置１０は、電源設備２から医用画像診断装置１００に供給する電力を制御する。なお以下では、電力管理装置１０は、電源設備２から電力を供給されるものとして説明するが、図示しない他の電源設備から電力を供給されてもよい。
【００１１】
医用画像診断装置１００は、例えば、Ｘ線診断装置、Ｘ線ＣＴ（Computed  Tomography）装置、ＭＲＩ（Magnetic  Resonance  Imaging）装置、超音波診断装置、ＳＰＥＣＴ（Single  Photon  Emission  Computed  Tomography）装置、ＰＥＴ（Positron  Emission  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、又はこれらの装置群等である。そして、医用画像診断装置１００は、それぞれの操作者の操作に応じて、被検体から信号を取得し、医用画像データを生成する。
【００１２】
なお、医用画像診断装置１００は、生成した医用画像データを図１中には図示しない画像保管装置に送信するようにしてもよい。かかる場合、医用画像診断装置１００は、医用画像データに付帯情報を付与したＤＩＣＯＭ（Digital  Imaging  and  Communication  in  Medicine）形式の医用画像データを画像保管装置に送信する。ここで、医用画像診断装置１００は、付帯情報として、例えば、患者を識別する患者ＩＤ、検査を識別する検査ＩＤ、医用画像診断装置１００を識別する装置ＩＤ、医用画像診断装置１００による１回の撮影を識別するシリーズＩＤ等を付与する。
【００１３】
第１の実施形態に係る電力管理システム１では、電力管理システム１内の消費電力を低減させるために、電源設備２が供給可能な電力量以下の電力を医用画像診断装置１００に供給するように運用される。より具体的には、第１の実施形態に係る電力管理システム１において、電力管理装置１０は、電源設備２が供給可能な電力量（施設供給電力）よりも少ない電力量を供給可能な電力量の上限値として設定し、この上限値の範囲内で医用画像診断装置１００に電力を供給する。なお、かかる運用状態のことを「省エネモード」と称する。以下では、医用画像診断装置１００ａを用いて検査Ａを実行する場合について説明する。図２は、第１の実施形態に係る電力管理システム１における処理動作を説明するシーケンス図である。
【００１４】
例えば、医用画像診断装置１００ａは、電力管理装置１０に起動要求を送信する（ステップＳ１）。そして、起動要求を受信した電力管理装置１０は、電源設備２から供給される電力量から利用可能な電力の最大使用量を取得する（ステップＳ２）。なお、ここで言う「利用可能な電力の最大使用量（単に「利用可能な電力量」とも言う）」とは、現在、電力管理システム１が供給可能な電力量を示し、上限値と現在既に割り当てた電力量とに基づいて決定される。また、電力管理装置１０は、検査Ａに使用する医用画像診断装置１００ａおよび医用画像診断装置１００ａが利用する電力量を特定する（ステップＳ３）。
【００１５】
続いて、電力管理装置１０は、医用画像診断装置１００ａが利用する電力量と、電源設備２から取得した利用可能な電力量とを比較し、医用画像診断装置１００ａが持つ機能の全てを利用可能であるか否かを判定する（ステップＳ４）。電力管理装置１０は、医用画像診断装置１００ａが持つ機能の全てを利用可能ではないと判定した場合、医用画像診断装置１００ａに対して電力量の抑制指示を通知する（ステップＳ５）。
【００１６】
抑制指示を通知された医用画像診断装置１００ａは、医用画像診断装置１００ａが持つ機能のうち検査Ａにおいて不要な機能を特定する（ステップＳ６）。そして、医用画像診断装置１００ａは、特定した機能を抑制するとともに、抑制した機能が用いるハードウェアに電源を供給しないように制御する（ステップＳ７）。
【００１７】
また、医用画像診断装置１００ａは、不要な機能を抑制後に利用する電力量が、利用可能な電力の最大使用量の範囲内であるか否かを判定する（ステップＳ８）。ここで、医用画像診断装置１００ａは、不要な機能を抑制後に利用する電力量が、利用可能な電力の最大使用量の範囲内であると判定した場合、検査Ａを実行可能な状態となる（ステップＳ９）。
【００１８】
このようにして、電力管理システム１では、電力管理システム１を省エネモードで運用する際に、電源管理の負荷を軽減することができる。以下では、電力管理システム１が有する電力管理装置１０及び医用画像診断装置１００の詳細について説明する。
【００１９】
図３は、第１の実施形態に係る電力管理装置１０の構成例を示す機能ブロック図である。図３に示すように、第１の実施形態に係る電力管理装置１０は、通信制御部１１と、記憶部１２と、制御部１３とを有する。
【００２０】
通信制御部１１は、例えば、ＬＡＮカード等の通信インターフェースであり、医用画像診断装置１００と各種データを送受信する。
【００２１】
記憶部１２は、例えば、半導体メモリ素子又はハードディスク等の記憶装置であり、検査情報ＤＢ（Data  Base）１２ａと、供給可能電力ＤＢ１２ｂと、最大利用電力量ＤＢ１２ｃとを有する。
【００２２】
検査情報ＤＢ１２ａは、検査の実行予定を示す検査情報を記憶する。図４は、第１の実施形態に係る検査情報ＤＢ１２ａが記憶するデータ構造の一例を示す図である。図４に示すように、検査情報ＤＢ１２ａは、「検査ＩＤ」と「検査日時」と「装置ＩＤ」と「診断部位」と「撮像モード」と「画像処理機能」とを対応付けた情報を記憶する。
【００２３】
ここで、検査情報ＤＢ１２ａが記憶する「検査ＩＤ」は、検査の識別子を示す。例えば、「検査ＩＤ」には、「ｚｚｚ１」、「ｚｚｚ２」、「０００１」などが格納される。また、検査情報ＤＢ１２ａが記憶する「検査日時」は、検査が行われる予定の日時を示す。例えば、「検査日時」には、「2013/11/01  14：00」などが格納される。また、検査情報ＤＢ１２ａが記憶する「装置ＩＤ」は、装置の識別子を示す。例えば、「装置ＩＤ」には、「ｘｘｘ１」、「ｘｘｘ２」、「ｘｘｘ３」などが格納される。
【００２４】
また、検査情報ＤＢ１２ａが記憶する「診断部位」は、検査対象となる被検体の部位を示す。例えば、「診断部位」には、「腹部」などが格納される。また、検査情報ＤＢ１２ａが記憶する「撮像モード」は、医用画像診断装置１００が被検体を撮影する際の撮像モードを示す。例えば、「撮像モード」には、「Ｂモード」などが格納される。また、検査情報ＤＢ１２ａが記憶する「画像処理機能」は、医用画像診断装置１００が有する機能のうち画像処理時に選択可能な各種機能を示す。例えば、「画像処理機能」には、「精細画像処理」などが格納される。
【００２５】
一例をあげると、図４に示す検査情報ＤＢ１２ａは、検査ＩＤが「０００１」である検査が、２０１３年１１月１日の１４時に予定されていることを示す。また、図４に示す検査情報ＤＢ１２ａは、この検査では、装置ＩＤが「ｘｘｘ３」である装置によって、腹部をＢモードで精細画像処理することを示す。なお、検査情報ＤＢ１２ａは、ＨＩＳ（Hospital  Information  System）やＲＩＳ（Radiology  Information  System）から生成可能である。
【００２６】
供給可能電力ＤＢ１２ｂは、電源設備２から供給可能な電力量を示す情報を記憶する。図５は、第１の実施形態に係る供給可能電力ＤＢ１２ｂが記憶するデータ構造の一例を示す図である。図５に示すように、供給可能電力ＤＢ１２ｂは、「施設供給電力」と「上限値」と「割り当て済み電力」と「検査ＩＤ」と「供給可能電力」とを対応付けた情報を記憶する。
【００２７】
ここで、供給可能電力ＤＢ１２ｂが記憶する「施設供給電力」は、電源設備２が供給可能な電力量の最大値を示す。例えば、「施設供給電力」には、「Ｘ」などが格納される。また、供給可能電力ＤＢ１２ｂが記憶する「上限値」は、電源設備２が供給可能な電力量のうち、電力管理システム１で使用が制限されている電力の上限値を示す。例えば、「上限値」には、「０．８Ｘ」などが格納される。なお、上限値は、電力管理システム１内で任意の値が設定可能である。
【００２８】
また、供給可能電力ＤＢ１２ｂが記憶する「割り当て済み電力」は、医用画像診断装置１００に既に割り当てた電力量を示す。例えば、「割り当て済み電力」には、「Ｙ１」、「Ｙ２」などが格納される。また、供給可能電力ＤＢ１２ｂが記憶する「検査ＩＤ」は、医用画像診断装置１００が行う検査の識別子を示す。例えば、「検査ＩＤ」には、「ｚｚｚ１」、「ｚｚｚ２」などが格納される。また、供給可能電力ＤＢ１２ｂが記憶する「供給可能電力」は、医用画像診断装置１００に割り当てることが可能な電力量を示す。例えば、「供給可能電力」には、「０．８Ｘ−（Ｙ１＋Ｙ２）」などが格納される。
【００２９】
一例をあげると、図５に示す供給可能電力ＤＢ１２ｂは、電源設備２が供給可能な電力の最大値は「Ｘ」であるが、省エネモードによる運用によって、上限値が「０．８Ｘ」に制限されていることを示す。また、図５に示す供給可能電力ＤＢ１２ｂは、「検査ＩＤ」が「ｚｚｚ１」である検査に電力量「Ｙ１」、「検査ＩＤ」が「ｚｚｚ２」である検査に電力量「Ｙ２」割り当てており、現在、供給可能な電力量が「０．８Ｘ−（Ｙ１＋Ｙ２）」であることを示す。
【００３０】
最大利用電力量ＤＢ１２ｃは、医用画像診断装置１００が使用する電力量の最大値を示す情報を記憶する。図６は、第１の実施形態に係る最大利用電力量ＤＢ１２ｃが記憶するデータ構造の一例を示す図である。図６に示すように、最大利用電力量ＤＢ１２ｃは、「装置ＩＤ」と「利用電力量」とを対応付けた情報を記憶する。
【００３１】
ここで、最大利用電力量ＤＢ１２ｃが記憶する「装置ＩＤ」は、医用画像診断装置１００の識別子を示す。例えば、「装置ＩＤ」には、「ｘｘｘ１」、「ｘｘｘ２」などが格納される。また、最大利用電力量ＤＢ１２ｃが記憶する「利用電力量」は、医用画像診断装置１００が使用する電力量の最大値を示す。例えば、「利用電力量」には、「Ｘ１」、「Ｘ２」などが格納される。一例をあげると、図６に示す最大利用電力量ＤＢ１２ｃは、装置ＩＤが「ｘｘｘ１」である医用画像診断装置１００が使用する電力量の最大値が「Ｘ１」であることを示す。
【００３２】
制御部１３は、例えば、ＣＰＵ（Central  Processing  Unit）やＭＰＵ（Micro  Processing  Unit）等の電子回路であり、起動制御部１３ａと、利用電力量特定部１３ｂとを有する。
【００３３】
起動制御部１３ａは、医用画像診断装置１００から起動要求を受信し、後述する利用電力量特定部１３ｂの判定結果に応じて、医用画像診断装置１００の起動を制御する。また、起動制御部１３ａは、医用画像診断装置１００による検査の終了後、医用画像診断装置１００の電源をオフにするように指示する。
【００３４】
利用電力量特定部１３ｂは、起動要求した医用画像診断装置１００に使用電力量を抑制させるか否かを判定する。例えば、利用電力量特定部１３ｂは、検査に用いる医用画像診断装置１００が使用する電力量の最大値を特定する。より具体的には、利用電力量特定部１３ｂは、検査情報ＤＢ１２ａの「検査日時」を参照し、現在時刻と一致する或いは近似する検査日時を特定する。そして、利用電力量特定部１３ｂは、特定した検査日時と対応付けられた装置ＩＤを特定する。また、利用電力量特定部１３ｂは、最大利用電力量ＤＢ１２ｃの「装置ＩＤ」を参照して、特定した装置ＩＤと一致する装置ＩＤを特定し、特定した装置ＩＤに対応付けられる「利用電力量」を医用画像診断装置１００が使用する電力量の最大値として特定する。
【００３５】
また、利用電力量特定部１３ｂは、供給可能な電力量を供給可能電力ＤＢ１２ｂから取得する。例えば、利用電力量特定部１３ｂは、供給可能電力ＤＢ１２ｂの「供給可能電力」を参照し、現在、電源設備２が供給可能な電力の最大値を特定する。
【００３６】
そして、利用電力量特定部１３ｂは、医用画像診断装置１００が使用する電力量の最大値が供給可能な電力量の範囲内であるか否かを判定する。ここで、利用電力量特定部１３ｂは、医用画像診断装置１００が使用する電力量の最大値が供給可能な電力量の範囲内でない場合に、起動要求した医用画像診断装置１００に使用電力量を抑制させると判定する。なお、利用電力量特定部１３ｂのことを「第３の特定部」とも言う。
【００３７】
図７は、第１の実施形態に係る医用画像診断装置１００の構成例を示す機能ブロック図である。図７に示すように、第１の実施形態に係る医用画像診断装置１００は、操作部１０１と、モニタ１０２と、ソフトウェア格納部１０３と、中央制御装置１０４と、信号取得部１０５と、データ処理部１０６と、内部記憶装置１０７と、電力量測定器１０８と、電源器１０９と、機器構成基板１１０と、外部接続機器１１１と、通信制御部１１２と、電力量管理部１２０とを有する。
【００３８】
操作部１０１は、医用画像診断装置１００の操作者から各種要求の入力を受け付け、受け付けた各種要求を中央制御装置１０４に転送する。操作部１０１は、マウス、キーボード、ボタン、パネルスイッチ、タッチコマンドスクリーン、フットスイッチ、トラックボール等である。
【００３９】
モニタ１０２は、医用画像診断装置１００の操作者が操作部１０１を用いて各種設定要求を入力するためのＧＵＩ（Graphical  User  Interface）を表示したり、データ処理部１０６において生成された医用画像データ等を表示したりする表示装置である。
【００４０】
ソフトウェア格納部１０３は、医用画像診断装置１００による各種処理を行うための制御プログラムを記憶する。中央制御装置１０４は、医用画像診断装置１００の処理全体を制御する。具体的には、中央制御装置１０４は、操作部１０１を介して操作者から入力された各種設定要求や、ソフトウェア格納部１０３から読込んだ各種制御プログラムに基づき、信号取得部１０５やデータ処理部１０６の処理を制御する。また、中央制御装置１０４は、内部記憶装置１０７が記憶する表示用の医用画像データをモニタ１０２にて表示するように制御する。また、中央制御装置１０４は、データ処理部１０６が生成した表示用の医用画像データを内部記憶装置１０７等に格納するように制御する。
【００４１】
信号取得部１０５は、医用画像データを生成するための信号を撮影の対象である被検体から取得する。例えば、医用画像診断装置１００がＭＲＩ装置である場合、信号取得部１０５は、磁気共鳴信号を獲得するための静磁場磁石、傾斜磁場コイル、及び傾斜磁場電源を含んだシステム及びその周辺装置に相当する。
【００４２】
また、例えば、医用画像診断装置１００がＸ線ＣＴ装置である場合、信号取得部１０５は、回転するＸ線管や検出装置を備えた架台装置及びその周辺装置に相当する。また、例えば、医用画像診断装置１００がＸ線撮影装置である場合、信号取得部１０５は、Ｘ線管や検出装置を備えたＣアーム及びその周辺装置に相当する。また、例えば、医用画像診断装置１００が超音波診断装置である場合、信号取得部１０５は、超音波プローブ及びその周辺装置に相当する。
【００４３】
データ処理部１０６は、信号取得部１０５によって取得された信号に基づいて医用画像データを生成する。そして、データ処理部１０６は、生成した医用画像データをモニタ１０２に表示する。
【００４４】
内部記憶装置１０７は、データ処理部１０６が生成した表示用の医用画像データを記憶するメモリである。なお、内部記憶装置１０７が記憶する医用画像データは、外部装置へ転送することができる。
【００４５】
機器構成基板１１０は、医用画像診断装置１００内部の機器を構成する。外部接続機器１１１は、プリンタや記録ドライブなどである。電力量測定器１０８は、配線用差込接続器２ａを介して電源設備２から供給される電力量を管理し、電源器１０９に電力を供給する。電源器１０９は、機器構成基板１１０、外部接続機器１１１、中央制御装置１０４や内部記憶装置１０７などに電力を供給する。
【００４６】
通信制御部１１２は、例えば、ＬＡＮカード等の通信インターフェースであり、他の医用画像診断装置１００や電力管理装置１０と各種データを送受信する。
【００４７】
電力量管理部１２０は、電源器１０９に接続される。この電力量管理部１２０は、電力管理装置１０から提供される情報に基づき、電源器１０９を制御することで、医用画像診断装置１００に供給される電力量から利用可能な機能にだけ電源を供給する。図８を用いて、電力量管理部１２０の詳細について説明する。
【００４８】
図８は、第１の実施形態に係る電力量管理部１２０の構成例を示す機能ブロック図である。図８に示すように、電力量管理部１２０は、検査情報ＤＢ１２１と、使用電力ＤＢ１２２と、起動制御部１２３と、第１の特定部１２４と、第２の特定部１２５と、機能制御部１２６とを有する。
【００４９】
検査情報ＤＢ１２１は、医用画像診断装置１００が実行予定の検査を示す検査情報を記憶する。ここで、図４を用いて説明した検査情報ＤＢ１２ａは、電力管理システム１内の全ての医用画像診断装置１００ａ〜１００ｃの検査予定を記憶するのに対し、各医用画像診断装置１００が有する検査情報ＤＢ１２１は、自装置の検査予定のみを記憶する。なお、検査情報ＤＢ１２１が記憶するデータ構造は、図４に示す検査情報ＤＢ１２ａのデータ構造と同様であるので、詳細な説明を省略する。
【００５０】
使用電力ＤＢ１２２は、医用画像診断装置１００が有する機能ごとに、使用する電力量を対応付けた情報を記憶する。言い換えると、使用電力ＤＢ１２２は、医用画像診断装置１００が検査で使用する機能ごとに電力消費量を対応付けた情報を記憶する。図９は、第１の実施形態に係る使用電力ＤＢ１２２が記憶するデータ構造の一例を示す図である。図９に示すように、使用電力ＤＢ１２２は、「診断部位」と「機能大分類」と「機能小分類」と「消費電力」とを対応付けた情報を記憶する。なお、本実施形態では、医用画像診断装置１００として超音波診断装置を例に挙げて説明する。
【００５１】
ここで、使用電力ＤＢ１２２が記憶する「診断部位」は、検査対象となる被検体の部位を示す。例えば、「診断部位」には、「腹部」、「循環器」などが格納される。また、使用電力ＤＢ１２２が記憶する「機能大分類」は、医用画像診断装置１００が有する機能を分類したものであり、ここでは撮像モードを示す。例えば、「機能大分類」には、「Ｂモード」、「カラードプラモード」などが格納される。
【００５２】
また、使用電力ＤＢ１２２が記憶する「機能小分類」は、医用画像診断装置１００が有する機能のうち大分類された機能を更に分類したものであり、ここでは画像処理時に選択可能な各種機能を示す。例えば、「機能小分類」には、「精細画像処理」、「ノイズ低減処理」などが格納される。また、使用電力ＤＢ１２２が記憶する「消費電力」は、医用画像診断装置１００が有する機能のうち小分類された機能を実行する場合に消費する電力量を示す。例えば、「消費電力」には、「１５０Ｗ」、「１２０Ｗ」などが格納される。
【００５３】
一例をあげると、図９に示す使用電力ＤＢ１２２は、腹部をＢモードで撮像し、撮像した医用画像データを精細画像処理する場合に消費する電力が１５０Ｗであることを示す。また、図９に示す使用電力ＤＢ１２２は、腹部をＢモードで撮像し、撮像した医用画像データをノイズ低減処理する場合に消費する電力が１２０Ｗであることを示す。
【００５４】
なお、「精細画像処理」は、画像フィルタの計算処理であり、超音波画像に対して構造解析を行い、構造に応じて場所ごとに異なる平滑化フィルタを掛けることにより画像の鮮明さを維持したままノイズを低減する処理に対応する。また、「ノイズ低減処理」は、送受信ユニットの送受信であり、通常１回の送受信によって１枚の超音波画像を作るところ、複数の異なる方向から超音波を複数回送受信して、得られた受信信号を合成して１枚の超音波画像を作ることによりノイズを低減する処理に対応する。このように、「精細画像処理」と「ノイズ低減処理」とでは使用する機能が異なるため、使用する電力量も異なる。
【００５５】
起動制御部１２３は、医用画像診断装置１００の操作者からの起動要求に応答し、電力管理装置１０に起動要求を送信する。また、起動制御部１２３は、電力管理装置１０の判定結果に応じて、医用画像診断装置１００の起動を制御する。ここで、起動制御部１２３は、電力管理装置１０から使用電力量の抑制を通知された場合、第１の特定部１２４及び第２の特定部１２５に使用電力抑制処理を実行させる。
【００５６】
また、起動制御部１２３は、医用画像診断装置１００による検査の終了後、電力管理装置１０からの指示に応じて、医用画像診断装置１００の電源をオフにする。これにより、他の画像診断装置１００による次の検査に使用する電力供給に備えることが可能となる。
【００５７】
第１の特定部１２４は、検査の実行予定を示す検査情報に基づいて、医用画像診断装置１００が検査で使用する機能を特定する。例えば、第１の特定部１２４は、検査情報ＤＢ１２１の「診断部位」、「撮像モード」及び「画像処理機能」を参照して、医用画像診断装置１００が実行予定の検査で使用する機能を特定する。また、第１の特定部１２４は、実行予定の検査で使用する機能以外の機能を実行予定の検査で使用しない機能として特定する。
【００５８】
第２の特定部１２５は、医用画像診断装置１００が有する機能のうち少なくとも実行予定の検査で使用する機能として特定された機能を含み、かつ、電源設備２から供給可能な電力量で起動可能な機能を特定する。例えば、第２の特定部１２５は、電力量の最大値が供給可能な電力量の範囲内ではない場合に、少なくとも実行予定の検査で使用する機能として特定された機能を含み、供給可能な電力量で起動可能な機能を特定する。
【００５９】
より具体的には、第２の特定部１２５は、医用画像診断装置１００において使用される電力量の最大値から検査において用いられない機能が使用する電力量を供給可能な電力量となるまで減算する。これにより、第２の特定部１２５は、少なくとも実行予定の検査で使用する機能として特定された機能を含み、かつ、供給可能な電力量で起動可能な機能を特定する。
【００６０】
一例をあげると、第２の特定部１２５は、使用電力ＤＢ１２２を参照し、「診断部位」、「機能大分類」及び「機能小分類」の組み合わせが実行予定の検査で使用しない機能として特定した組み合わせと一致するものを特定する。そして、第２の特定部１２５は、特定した「診断部位」、「機能大分類」及び「機能小分類」の組み合わせに対応付けられた「消費電力量」を検査で使用しない機能の消費電力量として特定する。ここで、第２の特定部１２５は、例えば、検査において用いられない機能のうち高負荷なアプリケーション機能が使用する電力量から順に減算する。
【００６１】
例えば、第２の特定部１２５は、診断部位が「腹部」であり、「カラードプラモード」で撮影する場合に、診断部位が「腹部」であり、機能大分類が「カラードプラモード」である機能以外で消費電力量が最も高い機能を停止機能として特定する。より具体的には、第２の特定部１２５は、図９に示す使用電力ＤＢ１２２を参照して、「診断部位」が「腹部」であり、「機能大分類」が「Ｂモード」であり、「機能小分類」が「精細画像処理」である機能を停止機能として特定する。
【００６２】
そして、第２の特定部１２５は、医用画像診断装置１００が使用する電力量の最大値から特定した消費電力量を減算した電力量の値が、供給可能な電力量の範囲内であるか否かを判定する。ここで、第２の特定部１２５は、減算した電力量の値が供給可能な電力量の範囲内ではない場合、更に、検査で使用しない機能の消費電力量を特定して、医用画像診断装置１００が使用する電力量から減算する。より具体的には、第２の特定部１２５は、図９に示す使用電力ＤＢ１２２を参照して、「診断部位」が「腹部」であり、「機能大分類」が「Ｂモード」であり、「機能小分類」が「ノイズ低減」である機能を停止機能として特定する。
【００６３】
なお、画像診断装置１００の検査に不要な機能として、例えば中央制御装置１０４に高負荷な機能（電力消費負荷の高い機能）や、検査に不要なソフトウェアを制御する機能、印刷処理が不要な場合は接続されたプリンタへの通電を制御する機能や光学メディアへの記録が不要な場合は、このドライブへの通電を制御する機能を含む。
【００６４】
機能制御部１２６は、特定した起動可能な機能以外の機能の使用を制限する。例えば、機能制御部１２６は、第２の特定部１２５の特定結果に基づき、電源器１０９を制御することで、医用画像診断装置１００に供給される電力量から利用可能な機能にだけ電源を供給する。また、機能制御部１２６は、中央制御装置１０４に検査に不要なソフトウェアを制御する機能を起動させないように制御する。
【００６５】
図１０を用いて、第１の実施形態に係る医用画像診断装置１００による処理手順を説明する。図１０は、第１の実施形態に係る医用画像診断装置１００による処理手順を示すフローチャートである。図１０に示すように、起動制御部１２３は、操作者から起動要求を受付けたか否かを判定する（ステップＳ１０１）。
【００６６】
ここで、起動制御部１２３は、操作者から起動要求を受付けたと判定した場合（ステップＳ１０１、Ｙｅｓ）、電力管理装置１０に起動要求を送信する（ステップＳ１０２）。なお、起動制御部１２３は、操作者から起動要求を受付けたと判定しなかった場合（ステップＳ１０１、Ｎｏ）、操作者から起動要求を受付けたか否かを繰り返し判定する。
【００６７】
続いて、起動制御部１２３は、電力管理装置１０から起動要求に対する応答を受信する（ステップＳ１０３）。そして、起動制御部１２３は、応答結果を解析し、使用電力量の抑制を通知されたか否かを判定する（ステップＳ１０４）。ここで、起動制御部１２３は、使用電力量の抑制を通知されたと判定しなかった場合（ステップＳ１０４、Ｎｏ）、ステップＳ１０９に移行する。
【００６８】
一方、起動制御部１２３が、使用電力量の抑制を通知されたと判定した場合（ステップＳ１０４、Ｙｅｓ）、医用画像診断装置１００は、使用電力量抑制処理を実行する（ステップＳ１０５）。なお、使用電力量抑制処理の手順については、図１１を用いて後述する。
【００６９】
そして、起動制御部１２３は、使用電力量抑制処理の結果を電力管理装置１０に応答する（ステップＳ１０６）。また、起動制御部１２３は、医用画像診断装置１００を起動可能であるか否かを判定する（ステップＳ１０７）。ここで、起動制御部１２３は、医用画像診断装置１００を起動可能であると判定しなかった場合（ステップＳ１０７、Ｎｏ）、処理を終了する。一方、起動制御部１２３が、医用画像診断装置１００を起動可能であると判定した場合（ステップＳ１０７、Ｙｅｓ）、機能制御部１２６は、使用する機能を制限する（ステップＳ１０８）。
【００７０】
続いて、起動制御部１２３は、起動の指示を電力管理装置１０から受付けたか否かを判定する（ステップＳ１０９）。ここで、起動制御部１２３は、起動の指示を電力管理装置１０から受付けたと判定した場合（ステップＳ１０９、Ｙｅｓ）、中央制御装置１０４に機能の実行を指示する（ステップＳ１１０）。なお、起動制御部１２３は、起動の指示を電力管理装置１０から受付けたと判定しなかった場合（ステップＳ１０９、Ｎｏ）、起動の指示を電力管理装置１０から受付けたか否かを繰り返し判定する。
【００７１】
そして、起動制御部１２３は、操作者の操作による検査が開始すると、検査が終了したか否かを判定する（ステップＳ１１１）。起動制御部１２３は、検査が終了したと判定した場合（ステップＳ１１１、Ｙｅｓ）、検査の終了を電力管理装置１０に通知する（ステップＳ１１２）。なお、起動制御部１２３は、検査が終了したと判定しなかった場合（ステップＳ１１１、Ｎｏ）、検査が終了したか否かを繰り返し判定する。
【００７２】
そして、起動制御部１２３は、電源のオフを指示されたか否かを判定する（ステップＳ１１３）。起動制御部１２３は、電源のオフを指示されたと判定した場合（ステップＳ１１３、Ｙｅｓ）、電源を落とし処理を終了する。一方、起動制御部１２３は、電源のオフを指示されたと判定しなかった場合（ステップＳ１１３、Ｎｏ）、電源のオフを指示されたか否かを繰り返し判定する。
【００７３】
図１１は、第１の実施形態に係る医用画像診断装置１００による使用電力抑制処理の処理手順を示すフローチャートである。図１１に示すように、第１の特定部１２４は、検査で使用する機能と検査で使用しない機能とを特定する（ステップＳ２０１）。そして、第２の特定部１２５は、検査で使用しない機能を全て停止させているか否かを判定する（ステップＳ２０２）。
【００７４】
第２の特定部１２５は、検査で使用しない機能を全て停止させていると判定しなかった場合（ステップＳ２０２、Ｎｏ）、検査で使用しない機能のうち電力負荷の高い機能を停止機能として特定する（ステップＳ２０３）。また、第２の特定部１２５は、停止機能の起動を抑制後の電力量を算出する（ステップＳ２０４）。そして、第２の特定部１２５は、停止機能の起動を抑制後の電力量が供給可能な電力量の範囲内であるか否かを判定する（ステップＳ２０５）。
【００７５】
ここで、第２の特定部１２５は、停止機能の起動を抑制後の電力量が供給可能な電力量の範囲内であると判定した場合（ステップＳ２０５、Ｙｅｓ）、医用画像診断装置１００を起動可能であると判定する（ステップＳ２０６）。一方、第２の特定部１２５は、停止機能の起動を抑制後の電力量が供給可能な電力量の範囲内であると判定しなかった場合（ステップＳ２０５、Ｎｏ）、ステップＳ２０２に移行し、停止機能を特定する処理を繰り返す。
【００７６】
また、第２の特定部１２５は、検査で使用しない機能を全て停止させていると判定した場合（ステップＳ２０２、Ｙｅｓ）、医用画像診断装置１００を起動不可能であると判定する（ステップＳ２０７）。
【００７７】
図１２は、第１の実施形態に係る電力管理装置１０による処理手順を示すフローチャートである。図１２に示すように、起動制御部１３ａは、医用画像診断装置１００から起動要求を受付けたか否かを判定する（ステップＳ３０１）。ここで、起動制御部１３ａが、医用画像診断装置１００から起動要求を受付けたと判定した場合（ステップＳ３０１、Ｙｅｓ）、利用電力量特定部１３ｂは、検査情報を検査情報ＤＢ１２ａから取得する（ステップＳ３０２）。なお、起動制御部１３ａは、医用画像診断装置１００から起動要求を受付けたと判定しなかった場合（ステップＳ３０１、Ｎｏ）、医用画像診断装置１００から起動要求を受付けたか否かを繰り返し判定する。
【００７８】
そして、利用電力量特定部１３ｂは、検査に利用する医用画像診断装置１００を特定し（ステップＳ３０３）、特定した医用画像診断装置１００の使用予定の電力量を特定する（ステップＳ３０４）。また、利用電力量特定部１３ｂは、供給可能な電力量を取得する（ステップＳ３０５）。
【００７９】
そして、利用電力量特定部１３ｂは、医用画像診断装置１００が使用可能であるか否かを判定する（ステップＳ３０６）。ここで、利用電力量特定部１３ｂが、医用画像診断装置１００が使用可能であると判定した場合（ステップＳ３０６、Ｙｅｓ）、起動制御部１３ａは、医用画像診断装置１００に起動を指示する（ステップＳ３０７）。
【００８０】
続いて、起動制御部１３ａは、検査終了の通知を受付けたか否かを判定する（ステップＳ３０８）。ここで、起動制御部１３ａは、検査終了の通知を受付けたと判定した場合（ステップＳ３０８、Ｙｅｓ）、医用画像診断装置１００に電源のオフを指示する（ステップＳ３０９）。なお、起動制御部１３ａは、検査終了の通知を受付けたと判定しなかった場合（ステップＳ３０８、Ｎｏ）、ステップＳ３０８の処理を繰り返し実行する。そして、起動制御部１３ａは、検査が全て終了したか否かを判定する（ステップＳ３１０）。ここで、起動制御部１３ａは、検査が全て終了したと判定した場合（ステップＳ３１０、Ｙｅｓ）、処理を終了する。一方、起動制御部１３ａが、検査が全て終了したと判定しなかった場合（ステップＳ３１０、Ｎｏ）、ステップＳ３０２に移行する。すなわち、利用電力量特定部１３ｂは、検査情報を検査情報ＤＢ１２ａから取得する。
【００８１】
一方、利用電力量特定部１３ｂが、医用画像診断装置１００が使用可能であると判定しなかった場合（ステップＳ３０６、Ｎｏ）、起動制御部１３ａは、使用電力量の抑制を医用画像診断装置１００に通知する（ステップＳ３１１）。そして、起動制御部１３ａは、医用画像診断装置１００から使用電力量の抑制処理の結果を受信する（ステップＳ３１２）。
【００８２】
続いて、起動制御部１３ａは、医用画像診断装置１００を起動可能であるか否かを判定する（ステップＳ３１３）。ここで、起動制御部１３ａは、医用画像診断装置１００を起動可能であると判定した場合（ステップＳ３１３、Ｙｅｓ）、医用画像診断装置１００に起動を指示する（ステップＳ３０７）。一方、起動制御部１３ａは、医用画像診断装置１００を起動可能であると判定しなかった場合（ステップＳ３１３、Ｎｏ）、処理を終了する。
【００８３】
上述したように、第１の実施形態では、所望の医用画像診断装置１００が使用する電力量が、省エネモードで運用する電力管理システム１の供給可能な電力量の範囲内ではない場合に、医用画像診断装置１００が検査で使用しない機能を特定し、この機能の起動を制限する。これにより、操作者は、全ての医用画像診断装置１００の電力量を把握しなくても、所望の医用画像診断装置１００を利用して検査を行うことが可能となる。この結果、第１の実施形態によれば、電力管理システム１を省エネモードで運用する際に、電源管理の負荷を軽減することができる。
【００８４】
なお、上述した実施形態では、第２の特定部１２５は、「診断部位」、「機能大分類」及び「機能小分類」の組み合わせで、検査で使用しない機能の消費電力量を特定するものとして説明したが、実施形態はこれに限定されるものではない。例えば、第２の特定部１２５は、「診断部位」及び「機能大分類」の組み合わせ以外の全ての機能を停止機能として特定してもよい。より具体的には、第２の特定部１２５は、診断部位が「腹部」であり、「カラードプラモード」で撮影する場合に、図９に示す使用電力ＤＢ１２２を参照して、診断部位が「腹部」であり、機能大分類が「Ｂモード」である全ての機能を停止機能として特定するようにしてもよい。
【００８５】
また、例えば、第２の特定部１２５は、「診断部位」以外である全ての機能を停止機能として特定してもよい。より具体的には、第２の特定部１２５は、診断部位が「循環器」である場合に、使用電力ＤＢ１２２を参照して、診断部位が「循環器」以外である全ての機能を停止機能として特定するようにしてもよい。
【００８６】
また、第２の特定部１２５は、診断部位が「腹部」であり、Ｂモードで撮影する場合に、使用電力ＤＢ１２２を参照して、診断部位が「腹部」であり、機能大分類が「Ｂモード」である「機能小分類」のうち、「消費電力量」が最も高い機能を停止機能として特定するようにしてもよい。
【００８７】
更に、第２の特定部１２５は、例えば医用画像診断装置１００の過去の検査履歴の統計などから検査で用いる機能を推定し、自動的に機能を抑制するようにしてもよい。
【００８８】
また、医用画像診断装置１００は、検査に最低限必要な電力量のみ供給するようにしてもよい。かかる場合、第２の特定部１２５は、例えば、検査で使用しない機能として特定した機能を全て停止させた場合の電力量を算出する。そして、第２の特定部１２５は、算出した電力量が供給可能な電力量の範囲内であるか否かを判定する。そして、機能制御部１２６は、算出した電力量が供給可能な電力量の範囲内である場合に、特定した機能を全て停止させる。
【００８９】
また、医用画像診断装置１００は、検査で使用しない機能を全て停止させても供給可能な電力量の範囲内ではない場合には、省エネモードに失敗したことを示す情報をモニタ１０２に表示するようにしてもよい。また、医用画像診断装置１００は、算出した電力量が省エネモードで供給可能な電力量の範囲内ではないが、電源設備２から本来供給可能な電力量の範囲内である場合には、算出した電力量を使用させるようにしてもよい。かかる場合、医用画像診断装置１００は、省エネモードを解除していることを示す情報をモニタ１０２に表示する。
【００９０】
また、上述した実施形態では、起動制御部１２３は、検査の終了後に電源のオフを指示され、自身の電源を落とすものとして説明したが、実施形態はこれに限定されるものではない。例えば、起動制御部１２３は、検査の終了後に電源を落とすことなく、処理を終了するようにしてもよい。かかる場合、医用画像診断装置１００には、待機電源が供給される。
【００９１】
また、上述した実施形態では、医用画像診断装置１００が使用する電力量の最大値を特定する際に、電力管理装置１０の起動制御部１３ａが、検査情報ＤＢ１２ａから起動要求した医用画像診断装置１００を特定するものとして説明したが、実施形態はこれに限定されるものではない。例えば、医用画像診断装置１００の起動制御部１２３は、起動要求を送信する医用画像診断装置１００の装置ＩＤを含んだ起動要求を送信するようにしてもよい。かかる場合、電力管理装置１０の起動制御部１３ａは、起動要求に含まれた装置ＩＤを抽出し、抽出した装置ＩＤと一致する装置ＩＤに対応付けられた利用電力量を最大利用電力量ＤＢ１２ｃから特定する。
【００９２】
（第２の実施形態）
第１の実施形態では、医用画像診断装置１００が、電力管理装置１０からの指示に応答して、使用電力抑制処理を実行するものとして説明した。ところで、この使用電力抑制処理は、電力管理装置１０が実行してもよいものである。このようなことから、第２の実施形態では、電力管理装置１０が、使用電力抑制処理を実行し、実行結果に基づいて、医用画像診断装置１００が使用する機能を制限させる場合について説明する。
【００９３】
第２の実施形態に係る電力管理システム１ａは、電源設備２と、電力管理装置２０と、医用画像診断装置２００ａと、医用画像診断装置２００ｂと、医用画像診断装置２００ｃとを有する。なお、医用画像診断装置２００ａと、医用画像診断装置２００ｂと、医用画像診断装置２００ｃとを区別しない場合には、医用画像診断装置２００と記載する。なお、以下では、第１の実施形態に係る電力管理システム１と同様の構成については同一の符号を付与し、詳細な説明を省略する。また、電力管理システム１ａは、第１の実施形態と同様に省エネモードで運用されるものとする。また、電力管理システム１ａが有する医用画像診断装置２００の数は、３台に限定されるものではない。
【００９４】
図１３は、第２の実施形態に係る電力管理装置２０及び医用画像診断装置２００の構成例を示す機能ブロック図である。なお、第２の実施形態に係る医用画像診断装置２００の構成は、電力管理部２２０の構成を除いて、第１の実施形態に係る医用画像診断装置１００の構成と同様である。このため、図１３では、医用画像診断装置２００のうち、電力量管理部２２０のみを図示している。
【００９５】
図１３に示すように、第２の実施形態に係る電力管理装置２０は、通信制御部１１と、記憶部２２と、制御部２３とを有する。なお、図１３に示す電力管理装置２０において、図３に示す電力管理装置１０と同様の構成については同一の符号を付与し、詳細な説明を省略する。
【００９６】
記憶部２２は、例えば、半導体メモリ素子又はハードディスク等の記憶装置であり、検査情報ＤＢ１２ａと、供給可能電力ＤＢ１２ｂと、最大利用電力量ＤＢ１２ｃと、使用電力ＤＢ２２ｄとを有する。
【００９７】
使用電力ＤＢ２２ｄは、各医用画像診断装置１００が有する機能ごとに、使用する電力量を対応付けた情報を記憶する。なお、使用電力ＤＢ２２ｄが記憶するデータ構造は、図９を用いて説明した使用電力ＤＢ１２２のデータ構造と同様である。
【００９８】
制御部２３は、例えば、ＣＰＵやＭＰＵ等の電子回路であり、起動制御部１３ａと、利用電力量特定部１３ｂと、第１の特定部２３ｃと、第２の特定部２３ｄとを有する。
【００９９】
第１の特定部２３ｃは、検査の実行予定を示す検査情報に基づいて、医用画像診断装置２００が検査で使用する機能を特定する。なお、第１の特定部２３ｃが有する機能は、第１の実施形態に係る医用画像診断装置１００の第１の特定部１２４が有する機能と同様である。
【０１００】
第２の特定部２３ｄは、医用画像診断装置２００が有する機能のうち少なくとも特定した機能を含み、かつ、電源設備２から供給可能な電力量で起動可能な機能を特定する。なお、第２の特定部２３ｄが有する機能は、第１の実施形態に係る医用画像診断装置１００の第２の特定部１２５が有する機能と同様である。
【０１０１】
続いて、第２の実施形態に係る医用画像診断装置２００が有する電力管理部２２０の構成について説明する。図１３に示すように、第２の実施形態に係る電力管理部２２０は、起動制御部１２３と、機能制御部１２６とを有する。なお、電力管理部２２０の起動制御部１２３が有する機能は、第１の実施形態に係る電力管理部１２０の第２の特定部１２５が有する機能と同様であり、電力管理部２２０の機能制御部１２６が有する機能は、第１の実施形態に係る電力管理部１２０の機能制御部１２６が有する機能と同様である。
【０１０２】
図１４は、第２の実施形態に係る医用画像診断装置２００による処理手順を示すフローチャートである。なお、図１４に示すフローチャートにおいて、図１０に示す処理手順と同様の処理については、同一の符号を付与し詳細な説明を省略する。具体的には、図１４に示すステップＳ４０１からステップＳ４０３の処理手順は、図１０に示すステップＳ１０１からステップＳ１０３の処理と同様である。また、図１４に示すステップＳ４０６からステップＳ４１１の処理手順は、図１０に示すステップＳ１０８からステップＳ１１３の処理と同様である。
【０１０３】
図１４に示すように、ステップＳ４０３において応答を受信した起動制御部１２３は、応答結果を解析し、医用画像診断装置２００を起動可能であるか否かを判定する（ステップＳ４０４）。ここで、起動制御部１２３は、医用画像診断装置２００を起動可能であると判定した場合（ステップＳ４０４、Ｙｅｓ）、使用電力量の抑制を通知されたか否かを判定する（ステップＳ４０５）。
【０１０４】
起動制御部１２３は、使用電力量の抑制を通知されたと判定しなかった場合（ステップＳ４０５、Ｎｏ）、ステップＳ４０７に移行する。一方、起動制御部１２３が、使用電力量の抑制を通知されたと判定した場合（ステップＳ４０５、Ｙｅｓ）、機能制御部１２６は、使用する機能を制限する（ステップＳ４０６）。なお、起動制御部１２３は、医用画像診断装置２００を起動可能であると判定しなかった場合（ステップＳ４０４、Ｎｏ）、処理を終了する。
【０１０５】
図１５は、第２の実施形態に係る電力管理装置１０による処理手順を示すフローチャートである。なお、図１５に示すフローチャートにおいて、図１２に示す処理手順と同様の処理については、同一の符号を付与し詳細な説明を省略する。具体的には、図１５に示すステップＳ５０１からステップＳ５０６の処理手順は、図１２に示すステップＳ３０１からステップＳ３０６の処理と同様である。また、図１５に示すステップＳ５１２からステップＳ５１４の処理手順は、図１２に示すステップＳ３０８からステップＳ３１０の処理と同様である。
【０１０６】
図１５に示すように、ステップＳ５０６において、利用電力量特定部１３ｂが、医用画像診断装置２００が使用可能であると判定しなかった場合（ステップＳ５０６、Ｎｏ）、電力管理装置２０は、使用電力量抑制処理を実行する（ステップＳ５０７）。なお、使用電力量抑制処理の手順は、図１１を用いて説明した使用電力量抑制処理の手順と同様である。
【０１０７】
続いて、起動制御部１３ａは、医用画像診断装置２００を起動可能であるか否かを判定する（ステップＳ５０８）。ここで、起動制御部１３ａは、医用画像診断装置２００を起動可能であると判定しなかった場合（ステップＳ５０８、Ｎｏ）、医用画像診断装置２００を起動できない旨を通知し（ステップＳ５０９）、処理を終了する。一方、起動制御部１３ａは、医用画像診断装置２００を起動可能であると判定した場合（ステップＳ５０８、Ｙｅｓ）、医用画像診断装置２００に使用可能な機能を通知する（ステップＳ５１０）。そして、起動制御部１３ａは、医用画像診断装置２００に起動を指示する（ステップＳ５１１）。
【０１０８】
上述したように、第２の実施形態では、所望の医用画像診断装置２００が使用する電力量が、省エネモードで運用する電力管理システム１ａの供給可能な電力量の範囲内ではない場合に、電力管理装置２０が、医用画像診断装置２００による検査で使用されない機能を特定する。そして、医用画像診断装置２００は、電力管理装置２０によって特定された機能の起動を制限する。これにより、操作者は、全ての医用画像診断装置２００の電力量を把握しなくても、所望の医用画像診断装置２００を利用して検査を行うことが可能となる。この結果、第２の実施形態によれば、電力管理システム１ａを省エネモードで運用する際に、電源管理の負荷を軽減することができる。
【０１０９】
また、第２の実施形態では、電力管理装置２０が、医用画像診断装置２００による検査で使用されない機能を特定する。すなわち、医用画像診断装置２００は、使用電力抑制処理を実行しなくてもよい。これにより、第２の実施形態では、医用画像診断装置２００の処理負荷を軽減させることが可能となる。
【０１１０】
（第３の実施形態）
上述した実施形態では、医用画像診断装置１００（２００）は、電力管理装置１０（２０）に起動要求を送信し、電力管理装置１０（２０）からの応答結果に基づいて、使用電力量を抑制するか否かを判定するものとして説明した。ところで、電力管理システム１（１ａ）では、医用画像診断装置１００（２００）が、使用電力量を抑制するか否かを判定するようにしてもよいものである。このようなことから、第３の実施形態では、電力管理装置１０（２０）を設けずに、医用画像診断装置１００（２００）が、自身で使用電力量を抑制するか否かを判定する場合について説明する。
【０１１１】
図１６は、第３の実施形態に係る電力管理システム１ｂの構成例を示す図である。図１６に示すように、第３の実施形態に係る電力管理システム１ｂは、電源設備２と、医用画像診断装置３００ａと、医用画像診断装置３００ｂと、医用画像診断装置３００ｃとを有する。なお、医用画像診断装置３００ａと、医用画像診断装置３００ｂと、医用画像診断装置３００ｃとを区別しない場合には、医用画像診断装置３００と記載する。なお、以下では、上述した実施形態に係る電力管理システム１（１ａ）と同様の構成については同一の符号を付与し、詳細な説明を省略する。また、電力管理システム１ｂは、第１及び第２の実施形態と同様に省エネモードで運用されるものとする。また、電力管理システム１ｂが有する医用画像診断装置３００の数は、３台に限定されるものではない。
【０１１２】
第３の実施形態に係る医用画像診断装置３００の構成は、電力管理部３２０の構成を除いて、第１の実施形態に係る医用画像診断装置１００の構成と同様である。このため、図１６では、医用画像診断装置３００のうち、電力量管理部３２０のみを図示している。なお、医用画像診断装置３００は、図１６中には図示しないが、電力量測定器１０８としてスマートメータを有する。このスマートメータは、通信機能付きの電力の計量器である。かかるスマートメータは、医用画像診断装置３００の分電盤等に接続される。例えば、スマートメータは、一定期間、例えば５分間ごとに医用画像診断装置３００が使用する電力を計量する。
【０１１３】
続いて、第３の実施形態に係る医用画像診断装置３００が有する電力管理部３２０の構成について説明する。図１６に示すように、第３の実施形態に係る電力管理部３２０は、検査情報ＤＢ３２１と、供給可能電力ＤＢ３２２と、最大利用電力量ＤＢ３２３と、使用電力ＤＢ１２２と、設定受付部３２４と、起動制御部１２３と、利用電力量特定部３２５と、第１の特定部１２４と、第２の特定部１２５と、機能制御部１２６と、依頼部３２７と、報知部３２８とを有する。
【０１１４】
検査情報ＤＢ３２１は、電力管理システム１ｂ内で予定されている検査の実行予定を示す検査情報を記憶する。なお、検査情報ＤＢ３２１が記憶するデータ構造は、図４を用いて説明した検査情報ＤＢ１２ａのデータ構造と同様である。
【０１１５】
供給可能電力ＤＢ３２２は、電源設備２から供給可能な電力量を示す情報を記憶する。なお、供給可能電力ＤＢ３２２が記憶するデータ構造は、図５を用いて説明した供給可能電力ＤＢ１２ｂのデータ構造と同様である。
【０１１６】
最大利用電力量ＤＢ３２３は、電力管理システム１ｂ内の各医用画像診断装置３００が使用する電力量の最大値を示す情報を記憶する。なお、最大利用電力量ＤＢ３２３が記憶するデータ構造は、図６を用いて説明した最大利用電力量ＤＢ１２ｃのデータ構造と同様である。
【０１１７】
設定受付部３２４は、電源設備２から供給可能な電力量の上限値の設定を受付ける。なお、設定受付部３２４が、供給可能な電力量の上限値の設定を受付けた場合、「省エネモード機能」が有効に設定されていると称する。言い換えると、この省エネモード機能が有効に設定されている場合、医用画像診断装置３００は、所定の上限値の範囲内の電力量の供給を電源設備２から受けて起動する。なお、第３の実施形態に係る電力管理システム１ｂでは、医用画像診断装置３００ａ〜３００ｃは、省エネモード機能を有効に設定されているものとして説明する。
【０１１８】
利用電力量特定部３２５は、起動要求した医用画像診断装置３００に使用電力量を抑制させるか否かを判定する。なお、利用電力量特定部３２５が有する機能は、第１の実施形態に係る電力管理装置１０の利用電力量特定部１３ｂが有する機能と同様である。
【０１１９】
依頼部３２７は、医用画像診断装置３００による検査で使用する機能において使用される電力量が供給可能な電力量の範囲内ではなく、かつ、他の医用画像診断装置３００が起動中である場合、検査で使用する機能において使用される電力量が供給可能な電力量の範囲内となるまで、他の医用画像診断装置３００による検査において用いられない機能を更に抑制することを、この他の医用画像診断装置３００に依頼する。
【０１２０】
ここでは、医用画像診断装置３００ａによる検査で使用する機能において使用される電力量が供給可能な電力量の範囲内ではなく、かつ、医用画像診断装置３００ｂが起動中である場合について説明する。例えば、依頼部３２７は、起動制御部１２３が、使用電力量抑制処理の結果に基づいて、医用画像診断装置３００ａを起動可能であると判定しなかった場合、他の医用画像診断装置３００が起動しているか否かを判定する。より具体的には、依頼部３２７は、供給可能電力ＤＢ３２２の「検査ＩＤ」から実行中の検査を特定する。そして、依頼部３２７は、検査情報ＤＢ３２１を参照し、特定した検査ＩＤと一致する装置ＩＤを特定する。ここで、依頼部３２７は、装置ＩＤを特定できた場合、他の医用画像診断装置３００が起動していると判定する。
【０１２１】
そして、依頼部３２７は、例えば医用画像診断装置３００ｂが起動していると判定した場合、使用電力量の抑制を医用画像診断装置３００ｂに通知する。ここで、依頼部３２７は、医用画像診断装置３００ａを起動させるために不足している電力量を示す情報を、特定した他の医用画像診断装置３００ｂに通知する。
【０１２２】
報知部３２８は、依頼部３２７により使用電力の抑制を依頼された他の医用画像診断装置３００が使用電力の抑制を可能ではない場合、この他の医用画像診断装置３００による検査の終了予定時刻を報知する。ここでは、医用画像診断装置３００ａが医用画像診断装置３００ｂに使用電力の抑制を依頼した場合について説明する。例えば、医用画像診断装置３００ａの報知部３２８は、検査情報ＤＢ３２１において医用画像診断装置３００ｂの「装置ＩＤ」に対応付けられた「検査日時」を参照し、検査の終了予定時刻を推定する。そして、報知部３２８は、他の医用画像診断装置３００ｂによる検査の終了予定時刻を医用画像診断装置３００ａのモニタ１０２に表示する。
【０１２３】
図１７は、第３の実施形態に係る医用画像診断装置３００による処理手順を示すフローチャートである。なお、図１７に示すフローチャートにおいて、図１４或いは図１５に示す処理手順と同様の処理については、同一の符号を付与し詳細な説明を省略する。具体的には、図１７に示すステップＳ６０１からステップＳ６０８の処理手順は、図１５に示すステップＳ５０１からステップＳ５０８の処理と同様である。また、図１７に示すステップＳ６１５からステップＳ６１６の処理手順は、図１４に示すステップＳ４０８からステップＳ４０９の処理と同様である。なお、ステップＳ６０７における使用電力量抑制処理の手順は、図１１を用いて説明した使用電力量抑制処理の手順と同様である。
【０１２４】
図１７に示すように、ステップＳ６０８において、起動制御部１２３が、使用電力量抑制処理の結果に基づいて、医用画像診断装置３００を起動可能であると判定しなかった場合（ステップＳ６０８、Ｎｏ）、依頼部３２７は、他の医用画像診断装置３００が起動しているか否かを判定する（ステップＳ６０９）。
【０１２５】
ここで、依頼部３２７は、他の医用画像診断装置３００が起動していると判定しなかった場合（ステップＳ６０９、Ｎｏ）、処理を終了する。一方、依頼部３２７は、他の医用画像診断装置３００が起動していると判定した場合（ステップＳ６０９、Ｙｅｓ）、使用電力量の抑制を他の医用画像診断装置３００に通知する（ステップＳ６１０）。
【０１２６】
続いて、依頼部３２７は、応答結果を受信し（ステップＳ６１１）、他の医用画像診断装置３００が使用電力の抑制が可能であるか否かを判定する（ステップＳ６１２）。ここで、依頼部３２７が、他の医用画像診断装置３００が使用電力の抑制が可能であると判定しなかった場合（ステップＳ６１２、Ｎｏ）、報知部３２８は、他の医用画像診断装置３００による検査の終了予定時刻を報知し（ステップＳ６１３）、処理を終了する。一方、依頼部３２７が、他の医用画像診断装置３００が使用電力の抑制が可能であると判定した場合（ステップＳ６１２、Ｙｅｓ）、医用画像診断装置３００は、ステップＳ６０６に移行する。すなわち、利用電力量特定部３２５は、医用画像診断装置３００が使用可能であるか否かを判定する（ステップＳ６０６）。なお、利用電力量特定部３２５が、医用画像診断装置３００が使用可能であると判定した場合（ステップＳ６０６、Ｙｅｓ）、起動制御部１２３は、中央制御装置１０４に機能の実行を指示する（ステップＳ６１５）。
【０１２７】
一方、ステップＳ６０８において、起動制御部１２３が、使用電力量抑制処理の結果に基づいて、医用画像診断装置３００を起動可能であると判定した場合（ステップＳ６０８、Ｙｅｓ）、機能制御部１２６は、使用する機能を制限する（ステップＳ６１４）。続いて、起動制御部１２３は、中央制御装置１０４に機能の実行を指示する（ステップＳ６１５）。
【０１２８】
また、ステップＳ６１６において、起動制御部１２３は、検査の終了を受付けた場合（ステップＳ６１６、Ｙｅｓ）、検査が全て終了したか否かを判定する（ステップＳ６１７）。ここで、起動制御部１２３は、検査が全て終了したと判定した場合（ステップＳ６１７、Ｙｅｓ）、医用画像診断装置３００の電源を落とし（ステップＳ６１８）、処理を終了する。一方、起動制御部１２３が、検査が全て終了したと判定しなかった場合（ステップＳ６１７、Ｎｏ）、利用電力量特定部３２５は、ステップＳ６０２に移行し、検査情報を検査情報ＤＢ３２１から取得する。
【０１２９】
図１８は、第３の実施形態に係る他の医用画像診断装置３００による処理手順を示すフローチャートである。なお、他の医用画像診断装置３００は、検査を開始した後から検査を終了するまでの間に以下の処理を実行する。図１８に示すように、他の医用画像診断装置３００の起動制御部１２３は、要求元の医用画像診断装置３００から、使用電力の抑制を通知されたか否かを判定する（ステップＳ７０１）。
【０１３０】
ここで、他の医用画像診断装置３００の起動制御部１２３が、使用電力の抑制を通知されたと判定した場合（ステップＳ７０１、Ｙｅｓ）、他の医用画像診断装置３００は、使用電力抑制処理を実行する（ステップＳ７０２）。ここで、他の医用画像診断装置３００は、要求元の医用画像診断装置３００から通知された、不足している電力量を抑制するように処理を実行する。なお、ステップＳ７０２の詳細は、図１１に示す使用電力抑制処理の処理手順と同様である。
【０１３１】
そして、他の医用画像診断装置３００の起動制御部１２３は、使用電力抑制処理の結果を応答し（ステップＳ７０３）、処理を終了する。なお、他の医用画像診断装置３００の起動制御部１２３は、使用電力の抑制を通知されたと判定しなかった場合（ステップＳ７０１、Ｎｏ）、使用電力の抑制を通知されたか否かを繰り返し判定する。
【０１３２】
上述したように、第３の実施形態では、所望の医用画像診断装置３００が使用する電力量が、省エネモードで運用する電力管理システム１ｂの供給可能な電力量の範囲内ではない場合に、医用画像診断装置３００が検査で使用しない機能を特定し、この機能の起動を制限する。これにより、操作者は、全ての医用画像診断装置３００の電力量を把握しなくても、所望の医用画像診断装置３００を利用して検査を行うことが可能となる。この結果、第３の実施形態によれば、電力管理システム１ｂを省エネモードで運用する際に、電源管理の負荷を軽減することができる。
【０１３３】
さらに、第３の実施形態に係る医用画像診断装置３００は、使用電力量抑制処理の結果に基づいて、自身を起動可能であると判定しなかった場合、起動中の他の医用画像診断装置３００に使用電力抑制処理を依頼する。これにより、起動中の他の医用画像診断装置３００において、検査に使用しない機能を起動させている場合に、この機能を停止させ、医用画像診断装置３００を起動させることが可能となる。このように、第３の実施形態に係る医用画像診断装置３００によれば、医用画像診断装置３００間で電力を融通する。このように第３の実施形態では、電力管理システム１ｂ内の電力をより有効に使用するので、検査に使用する複数の医用画像診断装置３００を可能な限り使用できる状態にすることができる。
【０１３４】
また、第３の実施形態では、電力管理システム１ｂは、電力管理装置を有さずに構成することが可能である。これにより、電力管理システム１ｂの運用者は、電力管理システム１ｂを構築する際の初期費用を軽減することが可能となる。
【０１３５】
（その他の実施形態）
上述した第３の実施形態においては、医用画像診断装置３００による検査で使用する機能において使用される電力量が供給可能な電力量の範囲内ではなく、かつ、他の医用画像診断装置３００が起動中である場合、この他の医用画像診断装置に使用電力抑制処理を依頼する場合について説明した。このような使用電力抑制処理を起動中の他の医用画像診断装置に依頼することは、第１の実施形態及び第２の実施形態にも適用可能である。
【０１３６】
例えば、第１の実施形態に係る医用画像診断装置１００ａは、使用電力抑制処理を行っても供給可能な電力量の範囲内ではない場合に、電力管理装置１０に不足している電力量の融通を依頼する。そして、電力管理装置１０は、他の医用画像診断装置１００が起動しているか否かを判定する。ここで、電力管理装置１０は、医用画像診断装置１００ｂが起動していると判定した場合、医用画像診断装置１００ｂに使用電力量の抑制を通知する。続いて、電力管理装置１０は、他の医用画像診断装置１００ｂから不足している電力量を融通された場合に、医用画像診断装置１００ａに、不足している電力量が融通されたことを通知し、再度使用電力抑制処理を実行させる。
【０１３７】
また、例えば、第２の実施形態に係る電力管理装置２０は、使用電力抑制処理を行っても、医用画像診断装置２００ａが使用する電力量が供給可能な電力量の範囲内ではない場合に、他の医用画像診断装置２００が起動しているか否かを判定する。ここで、電力管理装置２０は、他の医用画像診断装置２００ｂが起動していると判定した場合、医用画像診断装置２００ｂに使用電力量の抑制を通知する。電力管理装置２０は、医用画像診断装置２００ｂから不足している電力量を融通された場合に、医用画像診断装置２００ａについて再度使用電力抑制処理を実行する。
【０１３８】
なお、上述した第１の実施形態から第３の実施形態では、電力管理システム１（１ａ、１ｂ）は、省エネモードで運用されるものとして説明したが、実施形態はこれに限定されるものではない。例えば、第１の実施形態及び第２の実施形態では、電力管理装置１０（２０）が、電源設備２が供給可能な電力の最大値よりも低い、供給可能な電力量の上限値を設定するものとして説明した。しかしながら、第１の実施形態及び第２の実施形態において、電力管理システム内の医用画像診断装置１００（２００）毎に省エネモードに設定するようにしてもよい。例えば、電力管理装置１０（２０）は、電力管理システム１（１ａ）自体の上限値を設定せず、電源設備２から供給可能な電力量の最大値まで電力を供給する。そして、省エネモードに設定された医用画像診断装置１００（２００）は、使用可能な電力量の上限値を個別に設定し、この上限値の範囲内で電力の供給を受ける。かかる場合、電力管理装置１０（２０）は、医用画像診断装置１００（２００）毎の「装置ＩＤ」に対応付けて、使用する電力量の上限値を「利用電力量」として最大利用電力量ＤＢ１２ｃに記憶する。また、電力管理システム１（１ａ、１ｂ）が、省エネモードで運用される場合であっても、医用画像診断装置１００（２００、３００）毎に使用可能な電力量の上限値を個別に設定し、この上限値の範囲内で電力の供給を受けるようにしてもよい。
【０１３９】
また、上述した実施形態では、省エネモードで運用される場合について説明したが、実施形態はこれに限定されるものではない。例えば、災害時などで供給される電力が通常時よりも限られる有事の際にも適用可能である。より具体的には、第１の実施形態及び第２の実施形態では、電力管理装置１０（２０）は、上限値を設定することなく、電源設備２が供給可能な電力量に基づいて、医用画像診断装置１００（２００）に電力を供給する。かかる場合、電力管理装置１０（２０）は、電源設備２から供給される電力量の範囲内で検査に使用する機能を起動させればよい。例えば、電力管理装置１０（２０）は、検査に最低限必要な電力量のみ医用画像診断装置１００（２００）に供給されるように医用画像診断装置１００（２００）の機能を制限させる。また、第３の実施形態でも同様に、各医用画像診断装置３００は、検査に最低限必要な電力量のみ供給されるように機能を制限する。これにより、全ての医用画像診断装置の電力量を把握した上で運用する手間を省き、所望の医用画像診断装置を利用できず検査や診断自体を阻害することを防止できる。また、検査に使用する複数の医用画像診断装置を可能な限り使用できる状態にすることができる。
【０１４０】
また、上述の実施形態で説明した医用画像診断装置による処理は、あらかじめ用意されたプログラムを医用画像診断装置が有するコンピュータで実行することによって実現することができる。このプログラムは、インターネットなどのネットワークを介して配布することができる。また、このプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。
【０１４１】
以上説明した少なくともひとつの実施形態によれば、電源管理の負荷を軽減することができる。
【０１４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４３】
１００  医用画像診断装置
１２０  電力量管理部
１２４  第１の特定部
１２５  第２の特定部
１２６  機能制御部
【図１】
2015173799.tif 000003
【図２】
2015173799.tif 000004
【図３】
2015173799.tif 000005
【図４】
2015173799.tif 000006
【図５】
2015173799.tif 000007
【図６】
2015173799.tif 000008
【図７】
2015173799.tif 000009
【図８】
2015173799.tif 000010
【図９】
2015173799.tif 000011
【図１０】
2015173799.tif 000012
【図１１】
2015173799.tif 000013
【図１２】
2015173799.tif 000014
【図１３】
2015173799.tif 000015
【図１４】
2015173799.tif 000016
【図１５】
2015173799.tif 000017
【図１６】
2015173799.tif 000018
【図１７】
2015173799.tif 000019
【図１８】
2015173799.tif 000020